(57)【要約】      （修正有）【課題】スチレンボードなどの切断面斜めカットにおいて、従来品に多くにある９０度や４５度に限定された固定角度のみならず、建築模型の勾配屋根製作などに例を見る多様な角度切断を一台で解決し、且つ、機能性、操作性、経済性を一台で統合解決することができる切断角度自在設定斜めカッターを提供する。【解決手段】定規を兼ねた基台部１と切断角度自在設定分度器２、６に連動したスライダー３に左右に往復するカッター本体４を付帯し、カッター本体４は、スライダー３上のどの位置においても一定角度で上下可動できるようにし、カッター送り時の刃の深さを手加減調整と、戻し時の刃のひっかかり防止策を施し、且つカッター本体４の市販カッター５の着脱を可能とし、そのカッターの折り刃式替え刃を使用することで消耗コストの軽減を図る。【選択図】図１
0003202501.tif 000002
【実用新案登録請求の範囲】
【請求項１】
スチレンボード等の切断面の斜めカットを行うにおいて、定規を兼ねた基台に切断角度を自在設定する切断角度設定分度器と直線カットを導くスラダーを一体化し、スライダーには、既存市販カッターを着脱できるカッター本体部を付帯し、カッター本体は、スライダーのどの位置にあってもカッター送り時の刃の深さを手加減調整でき、戻り時に生じる切断材と刃のひっかかりを防ぐための上下可動域を加えるなど、従来品に不足している機能と操作性問題を一体で統合解決することを特徴とした切断角度自在設定斜めカッター。
【考案の詳細な説明】
【技術分野】
【０００１】
本考案は、スチレンボード等の切断面の斜カットにおいて、カッターの切断面角度を自由に設定できるスライダー部に可動カッター部を付帯し、定規を兼
ねた基台と一体化した切断角度自在設定斜めカッターに関するものである。
【背景技術】
【０００２】
斜めカッターは、額縁の中台紙を代表として、切断面角度が９０度や４５度の角度固定型が多く既存にある。
【０００３】
既存の角度固定型斜めカッターには、直線定規併用タイプとスライダー付帯タイプがある。
【０００４】
スライダーとカッター部が一体化したタイプでは、カッター角度が異なる角度固定カッターパーツと交換できるタイプがある。
【０００５】
額縁の中台紙は、９０度と４５度の２種の斜めカットで済むが、建築模型製作では、勾配屋根製作で多種の切断面斜めカットを要求される。
【０００６】
勾配屋根製作に要する多種な角度切断を機能的に可能とし、且つ、操作性に富む斜めカッターが既存にない。
【０００７】
スチレンボードのカットでは、カッター刃を常に鋭く切れる状態に保つ必要があり、角度固定型専用替え刃の頻繁な交換はコストが嵩むので、替え刃消耗コスト軽減を図る必要がある
【０００８】
市販カッターを取付ける角度固定型斜めカッターが既存にあるが、切断角度を任意設定できるものがない。
【考案の概要】
【考案が解決しようとする課題】
【０００９】
本考案は、スチレンボード等の切断において、切断面角度を任意に設定できる角度自在設定分度器と、直線を導くスライダーにカッター本体を付帯させ、カッター本体には、カッター送り時の刃の深さの手加減調整と戻し時に生じる刃のひっかかりを防ぐ上下可動域を設け、更に、市販カッターの取付けを可能にしてその折り刃式替え刃を使用することで、角度固定型斜めカッター替え刃の消耗コスト高を軽減できるなど、従来品にない機能と操作性及び経済性を一体で実現する角度自在斜めカッターの提供を目的とする。
【課題を解決するための手段】
【００１０】
本考案は、定規を兼ねた基台に角度自在設定分度器と直線カットを導くスライダーを一体化する。
【００１１】
スライダーには、スライダー上を左右往復するカッター本体を付帯する。
【００１２】
カッター本体は、スライダー上のどの位置においても上下可動ができるようにする。
【００１３】
カッター本体がスライダー上のどの位置でも上下可動できることで、カッター送り時の刃の深さの手加減調整と、戻り時に生じる刃と切断素材のひっかかりを解決
する。
【００１４】
スチレンボードカットでは、頻繁な刃の交換を要し替え刃の消耗コストがかさむが、市販の一般カッター取付けを可能にして安価なそのカッターの折り刃式替え刃を使用することで消耗コストを軽減する。
【考案の効果】
【００１５】
以上の説明から明らかなように本考案にあっては次に列挙する多様な効果が得られる。
【００１６】
スチレンボード等の斜め切断において、本考案の切断角度を任意に設定できる角度自在設定分度器とスライダーの一体化で、額縁の中台紙や建築模型の屋根勾配などの多様な斜めカットが一台で可能となる。
【００１７】
カッター部は、定規を兼ねた基台と一体化したスライダーに付帯しているので操作性が良く、熟練性を要せず安定した直線カットを行うことができる。
【００１８】
カッター本体部がスライダーのどの位置にあっても一定角度で上下可動できるので、カッター送り時の刃の深さの手加減調整と、戻し時に生じる刃のひっかかりを防ぐことができる。
【００１９】
カッターの刃は、頻繁に交換して鋭く切れる状態に保つ必要があるが、角度固定型斜めカッターの専用替え刃はコスト高であるが、従来品の一般カッターの取付けを可能としてそのカッターの折り刃式替え刃を利用できため替え刃消耗コストを軽減できる。
【００２０】
スライダーに付帯するカッター本体は、カッター本体自体が着脱可能なので形態の異なる既存カッターセット用本体に交換することができる。
【図面の簡単な説明】
【００２１】
【図１】本考案の全体図である。
【図２】本考案の定規を兼ねた基台部分の上面図である。
【図３】本考案のカッター本体定位置の正面左部図である。
【図４】本考案のカッター本体を上可動させた正面右部図である。
【図５】本考案の角度設定分度器支柱の左側面図である。
【図６】本考案の角度設定分度器支柱の右側面図である。
【図７】本考案のカッター本体の左側面図である。
【考案を実施するための形態】
【００２２】
定規を兼ねた基台に、角度自在設定分度器と連動したスライダーを一体化し、スライダーには、左右往復するカッター本体を付帯し、カッター本体は、スライダー上のどの位置においても一定角度で上下する可動域を設け、カッター送り刃の抜き差しの手加減調整を可能にし、更にカッター本体は、市販カッターの着脱を可能にしてその折り刃式替え刃使用を可能とする。
【実施例１】
【００２３】
以下、添付図面に従って一実施例を説明する。１は当考案の全体図。２は定規を兼ねた基台部。３は切断角度設定分度器部。４はカッター本体を左右往復させるスライダー。５はカッターを取付ける本体。６は市販カッター。７は押し出した市販カッターの替え刃。８はカッター本体を上可動させた時の位置。
【符号の説明】
【００２４】
１  定規を兼ねた基台部
２  角度設定分度器左部
３  スライダー
４  カッター本体部
５  市販カッター
６  角度設定分度器右部
【図１】
0003202501.tif 000003
【図２】
0003202501.tif 000004
【図３】
0003202501.tif 000005
【図４】
0003202501.tif 000006
【図５】
0003202501.tif 000007
【図６】
0003202501.tif 000008
【図７】
0003202501.tif 000009
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
スチレンボード等の切断面の斜めカットを行うにおいて、定規を兼ねた基台に切断角度を自在設定する切断角度設定分度器と直線カットを導くスラダーを一体化し、スライダーには、既存市販カッターを着脱できるカッター本体部を付帯し、カッター本体は、スライダーのどの位置にあってもカッター送り時の刃の深さを手加減調整でき、戻り時に生じる切断材との刃のひっかかりを防ぐための上下可動域を加えるなど、従来品に不足している機能と操作性問題を一体で統合解決することを特徴とした切断角度自在設定斜めカッター。
【請求項２】
本考案の基台にオプションの円カッター回転基盤を取付けることで、円の切断面斜めカットを可能とする。
【手続補正書】
【提出日】平成27年9月29日(2015.9.29)
【手続補正１】
【補正対象書類名】実用新案登録請求の範囲
【補正対象項目名】全文
【補正方法】変更
【補正の内容】
【実用新案登録請求の範囲】
【請求項１】
スチレンボードの切断面の斜めカットを行うにおいて、定規を兼ねた基台に切断角度を自在設定する切断角度設定分度器と直線カットを導くスライダーを一体化し、スライダーには、既存市販カッターを着脱できるカッター本体を付帯し、そのカッター本体は、スライダーのどの位置にあっても円弧上下可動ができ、カッター送り時の刃の深さの手加減調整と、戻り時に生じる刃と切断材との引っかかりを防ぐことを特徴とした切断角度自在設定斜めカッター。
【請求項２】
本考案の基台にオプションの円カッター回転基盤を取付けることで、円の切断面斜めカットを可能とする。
【手続補正書】
【提出日】平成27年12月7日(2015.12.7)
【手続補正１】
【補正対象書類名】実用新案登録請求の範囲
【補正対象項目名】全文
【補正方法】変更
【補正の内容】
【実用新案登録請求の範囲】
【請求項１】
スチレンボード等の切断面の斜めカットを行うにおいて、定規を兼ねた基台に切断角 度を自在設定する切断角度設定分度器と直線カットを導くスライダーを一体化し、スライダーには、市販カッターを着脱できるカッター取り付け本体部を付帯し、かつ、素材切断時に、カッター取り付け本体部のカッター送り刃の深さと、返し時に生じる刃と切断材とのひっかかりを防ぐために、スライダーのどの位置にあっても、カッター取り付け本体部自体を手加減で上下運動できる構造にしたことを特徴とした切断角度自在設定斜めカッター。